(57)【要約】【課題】１台の機械で筐体サイズを可変し、無駄な設置スペースを残すことなく効率の良い台数の設置が行え、デザイン性が統一可能であり、筐体サイズの可変で景品展示スペース面積を可変することにより、同遊戯方法のまま景品サイズに左右されることなく遊戯者の戸惑いを軽減することができるクレーンゲーム機における筐体サイズ可変構造を提供する。【解決手段】筐体前部形成部１０Ａと筐体後部形成部１０Ｂを一部重ね合わせた構造である。サイズを変更する移動機構を操作することにより筐体後部形成部１０Ｂを前後方向に移動させて筐体の前後方向のサイズを変更することができる。設置する施設の面積に応じクレーンゲーム機のサイズを変えて効率的に配置することができる。【選択図】図１Ａ
2010252903.tif 000002
【特許請求の範囲】
【請求項１】
クレーンゲーム機の一部を形成する矩形状の第１の筐体形成部と、クレーンゲーム機の他の一部を形成する矩形状の第２の筐体形成部とから構成され、
第１の筐体形成部に第２の筐体形成部の一部を重ね、第２の筐体形成部を第１の筐体形成部に対し前進させる機構および後退させる機構を備え、
クレーンゲーム機筐体の容積を変更可能に構成したことを特徴とするクレーンゲーム機における筐体サイズ可変構造。
【請求項２】
前記第１の筐体形成部は、プレイフィールドの前部を形成する筐体前部形成部であり、
前記第２の筐体形成部は、プレイフィールドの後部を形成する筐体後部形成部であり、
前記筐体前部形成部の側部に沿って設けた案内部材と、
前記筐体後部形成部に前記案内部材に係合する係合部材と、
前記係合部材を回転させる回転機構とを備え、
前記回転機構により前記係合部材を回転させ、筐体前部形成部を筐体後部形成部に対し前後に移動させることにより、クレーンゲーム機の奥行き方向の容積を変更可能に構成したことを特徴とする請求項１記載のクレーンゲーム機における筐体サイズ可変構造。
【請求項３】
前記筐体前部形成部の前面にスライド型シャッタを設け、
該シャッタを下げることより、筐体前部形成部の前面に設けられている景品取り出し口を閉じ、該シャッタを上げることにより景品落下口を閉じることを特徴とする請求項２記載のクレーンゲーム機における筐体サイズ可変構造。
【請求項４】
前記第１の筐体形成部は、プレイフィールドの左部を形成する筐体左部形成部であり、
前記第２の筐体形成部は、プレイフィールドの右部を形成する筐体右部形成部であり、
前記筐体左部形成部の側部に沿って設けた案内部材と、
前記筐体右部形成部に前記案内部材に係合する係合部材と、
前記係合部材を回転させる回転機構とを備え、
前記回転機構により前記係合部材を回転させ、筐体左部形成部を筐体右部形成部に対し左右に移動させることにより、クレーンゲーム機の左右方向の容積を変更可能に構成したことを特徴とする請求項１記載のクレーンゲーム機における筐体サイズ可変構造。
【請求項５】
前記第１の筐体形成部は、プレイフィールドの下部を形成する筐体下部形成部であり、
前記第２の筐体形成部は、プレイフィールドの上部を形成する筐体上部形成部であり、
前記筐体下部形成部の側部に沿って設けた案内部材と、
前記筐体上部形成部に前記案内部材に係合する係合部材と、
前記係合部材を回転させる回転機構とを備え、
前記回転機構により前記係合部材を回転させ、筐体下部形成部を筐体上部形成部に対し上下に移動させることにより、クレーンゲーム機の上下方向の容積を変更可能に構成したことを特徴とする請求項１記載のクレーンゲーム機における筐体サイズ可変構造。
【発明の詳細な説明】
【技術分野】
【０００１】
本発明は、クレーンゲーム機の箱の器側と蓋側との関係の様に、重ねる仕組みにすることにより筐体サイズを自由に可変させて遊戯面積を可変できるクレーンゲーム機の筐体構造に関する。
【背景技術】
【０００２】
ゲーム機において、その筐体の一部をゲームの状況に適合した高さなどに変更できるものが従来より存在する。
特許文献１は、この種の構造を示す景品取得ゲームである。
これはゲーム機盤面の高さが３段階に調節できるミニサイズのエアホッケーのゲーム機であり、ホッケーフィールドの高さを変えてプレイヤ対象を子供から大人まで遊戯をさせるものである。
【先行技術文献】
【特許文献】
【０００３】
【特許文献１】特開２００５−７４１２０号公報
【発明の概要】
【発明が解決しようとする課題】
【０００４】
従来のクレーンゲーム機では、施設の設置面積を有効に扱うために筐体の大きさや販売元が異なる種類の機械を購入しなくてはならず、当然販売元が異なれば筐体の大きさはもちろん、筐体デザインや筐体色についても統一感は全くなかった。各ゲーム機の筐体サイズもそれぞれの機種が持つサイズしかないため、設置面積を有効に使う際、機械の抜き取りや、台数構成に限界があった。そのため、施設内に余剰スペースが残ってしまう要因となっていた。また、筐体が小から大サイズまで変わってしまうことにより、それぞれの筐体サイズ専用で景品が必要となり、購入に手間が掛っていた。さらに遊戯方法も各メーカーで異なるので、遊戯者が戸惑う場合も見受けられた。
【０００５】
本発明の目的は、１台の機械で筐体サイズを可変し、無駄な設置スペースを残すことなく効率の良い台数の設置が行え、デザイン性が統一可能であり、筐体サイズの可変で景品展示スペース面積を可変することにより、同遊戯方法のまま景品サイズに左右されることなく遊戯者の戸惑いを軽減することができるクレーンゲーム機における筐体サイズ可変構造を提供することにある。
【課題を解決するための手段】
【０００６】
前記目的を達成するために本発明の請求項１は、クレーンゲーム機の一部を形成する矩形状の第１の筐体形成部と、クレーンゲーム機の他の一部を形成する矩形状の第２の筐体形成部とから構成され、第１の筐体形成部に第２の筐体形成部の一部を重ね、第２の筐体形成部を第１の筐体形成部に対し前進させる機構および後退させる機構を備え、クレーンゲーム機筐体の容積を変更可能に構成したことを特徴とする。
本発明の請求項２は、請求項１記載の発明において前記第１の筐体形成部は、プレイフィールドの前部を形成する筐体前部形成部であり、前記第２の筐体形成部は、プレイフィールドの後部を形成する筐体後部形成部であり、前記筐体前部形成部の側部に沿って設けた案内部材と、前記筐体後部形成部に前記案内部材に係合する係合部材と、前記係合部材を回転させる回転機構とを備え、前記回転機構により前記係合部材を回転させ、筐体前部形成部を筐体後部形成部に対し前後に移動させることにより、クレーンゲーム機の奥行き方向の容積を変更可能に構成したことを特徴とする。
本発明の請求項３は、請求項２記載の発明において前記筐体前部形成部の前面にスライド型シャッタを設け、該シャッタを下げることより、筐体前部形成部の前面に設けられている景品取り出し口を閉じ、該シャッタを上げることにより景品落下口を閉じることを特徴とする。
本発明の請求項４は、請求項１記載の発明において前記第１の筐体形成部は、プレイフィールドの左部を形成する筐体左部形成部であり、前記第２の筐体形成部は、プレイフィールドの右部を形成する筐体右部形成部であり、前記筐体左部形成部の側部に沿って設けた案内部材と、前記筐体右部形成部に前記案内部材に係合する係合部材と、前記係合部材を回転させる回転機構とを備え、前記回転機構により前記係合部材を回転させ、筐体左部形成部を筐体右部形成部に対し左右に移動させることにより、クレーンゲーム機の左右方向の容積を変更可能に構成したことを特徴とする。
本発明の請求項５は、請求項１記載の発明において  前記第１の筐体形成部は、プレイフィールドの下部を形成する筐体下部形成部であり、前記第２の筐体形成部は、プレイフィールドの上部を形成する筐体上部形成部であり、前記筐体下部形成部の側部に沿って設けた案内部材と、前記筐体上部形成部に前記案内部材に係合する係合部材と、前記係合部材を回転させる回転機構とを備え、前記回転機構により前記係合部材を回転させ、筐体下部形成部を筐体上部形成部に対し上下に移動させることにより、クレーンゲーム機の上下方向の容積を変更可能に構成したことを特徴とする。
【発明の効果】
【０００７】
上記構成によれば、以下のような効果を有する。
・筐体の全体サイズが小さくなったり大きくなったりするので、設置スペースを有効に使うことができる。
・１台の機械で遊戯面積が小さくなったり大きくなったりするので、景品展示スペースの面積を可変でき、景品の大きさに左右されることなく運営可能となる。
・同じゲーム手法での統一化が可能で、遊戯者への遊戯方法の戸惑いを軽減できる。
【図面の簡単な説明】
【０００８】
【図１Ａ】本発明による筐体サイズ可変構造を採用したクレーンゲーム機の実施の形態を示す斜視図で、前後のスペースを縮小した状態を示している。
【図１Ｂ】本発明による筐体サイズ可変構造を採用したクレーンゲーム機の実施の形態を示す斜視図で、前後のスペースを拡大した状態を示している。
【図２】図１Ａおよび図１Ｂの前後に可変する機構に注目した側面図である。
【図３】図１Ａおよび図１Ｂの前後に可変する機構に注目した正面図である。
【図４】筐体前部形成部と筐体後部形成部を前後に移動させる機構の詳細図で、最も縮めた状態および最も拡大した状態をそれぞれ示している。
【図５】筐体前部形成部と筐体後部形成部を前後に移動させる機構の斜視図，部分拡大部および平面図を示している。
【図６Ａ】クレーン移動機構の詳細を示す正面図である。
【図６Ｂ】クレーン移動機構のＸ移動およびＹ移動を説明するための図である。
【図７Ａ】Ｘ軸搬送メカ用レールの伸縮の機構を説明するための斜視図である。
【図７Ｂ】Ｘ軸搬送メカおよびＹ軸搬送メカを動作させる機構を説明するための図である。
【図８】図１Ａの筐体構造にシャッタを設置した構造を説明するため斜視図である。
【図９Ａ】本発明による筐体サイズ可変構造を採用したクレーンゲーム機の他の実施の形態を示す斜視図で、左右のスペースを縮小した状態を示している。
【図９Ｂ】本発明による筐体サイズ可変構造を採用したクレーンゲーム機の他の実施の形態を示す斜視図で、左右のスペースを拡大した状態を示している。
【図１０Ａ】筐体左部形成部と筐体右部形成部を左右に移動させる機構の詳細図で、最も縮めた状態および最も拡大した状態をそれぞれ示している。
【図１０Ｂ】筐体右部形成部を左右に移動させる機構の斜視図である。
【図１１Ａ】本発明による筐体サイズ可変構造を採用したクレーンゲーム機のさらに他の実施の形態を示す斜視図で、上下のスペースを縮小した状態を示している。
【図１１Ｂ】本発明による筐体サイズ可変構造を採用したクレーンゲーム機のさらに他の実施の形態を示す斜視図で、上下のスペースを拡大した状態を示している。
【図１２】筐体下部形成部と筐体上部形成部を上下に移動させる機構の実施の形態を示す図である。
【図１３】筐体下部形成部と筐体上部形成部を上下に移動させる機構の他の実施の形態を示す図である。
【発明を実施するための形態】
【０００９】
以下、図１Ａ〜図１３を参照して筐体サイズ可変構造を詳細に説明する。
図１Ａ，図１Ｂは本発明による筐体サイズ可変構造を採用したクレーンゲーム機の実施の形態を示す斜視図で、それぞれ前後のスペースを縮小した状態および拡大した状態を示している。
クレーンゲーム機１０は筐体前部形成部１０Ａと筐体後部形成部１０Ｂで構成され、筐体前部形成部１０Ａの内側に筐体後部形成部１０Ｂが重なっており、筐体後部形成部１０Ｂを前後に移動させて筐体サイズを変えることができる。
筐体は２プレイ用でクレーンキャッチャ１０１と１０２，プレイフィールド１０３と１０４および景品落下部１０５と１０６がそれぞれ左右に設けられている。さらには操作パネル１０７と１０８が、景品払出し口１０９と１１０が左右にそれぞれ設置されている。筐体前後の拡大縮小にしたがってプレイフィールド１０３，１０４および景品落下部１０５，１０６が拡大縮小する。
【００１０】
図２および図３は図１Ａおよび図１Ｂの前後に可変する機構に注目した側面図および正面図をそれぞれ示している。
図２（ａ）では、筐体前部形成部１０Ａのプレイフィールド１０３ａと、筐体後部形成部１０Ｂのプレイフィールド１０３ｂが最も大きく重なった状態（筐体サイズが最小）を示しており、図２（ｂ）では最も引き伸ばした状態（筐体サイズが最大）を示している。第２プレイ部分のプレイフィールド１０４ａ，１０４ｂも同様である。クレーンキャッチャ１０１，１０２は筐体前部形成部１０Ａ，１０Ｂの前後の移動にも係わらず円滑に作動するように機構（図７Ａ参照）を備えている。筐体の奥行きは増減できるが、左右および上下のサイズは変わらない構造である。
【００１１】
図４は筐体前部形成部と筐体後部形成部を前後に移動させる機構の側面図、図５は前後に移動させる機構の斜視図，部分拡大部および平面図を示している。
筐体前部形成部１０Ａの底板にラック板１２（案内部材に相当）が設置されており、筐体前部形成部１０Ａの底板の奥に筐体後部形成部１０Ｂの底板に接して回転するローラ１３が設けられている。筐体後部形成部１０Ｂ側の両端にギヤ１１，１１（係止部材に相当）が固定された軸１５が回転可能に設けられている。軸１５の中央に傘歯車１６が固定され、ギヤ１１，１１はラック板１２（筐体前部形成部１０Ａの左右に２個設置されている）にそれぞれ噛合している。さらに一端に傘歯車９が、他端に回転ノブ７をそれぞれ取り付けた軸８が回転可能に設けられている。傘歯車９は傘歯車１６に噛合している。回転ノブ７は筐体後部形成部１０Ｂの背面の外側に設けられ、クレーンゲーム機設置の際、回転ノブ７を操作することにより筐体サイズを調整することができる。
回転ノブ７を回転させると、傘歯車９の回転が傘歯車１６に伝達され両端のギヤ１１，１１が回転してラック板１２を移動させることにより筐体前部形成部１０Ａが前後に移動する。
【００１２】
図６Ａは、クレーン移動機構の詳細を示す正面図、図６Ｂは、クレーン移動機構のＸ移動およびＹ移動を説明するための図である。
クレーンキャッチャ１０１は爪１８ａ，１８ｂを有するキャッチャ部２２と、該キャッチャ部２２を支持する伸縮アーム２４から構成され、伸縮アーム２４の他端はＹ軸搬送メカ１７に取り付けられている。クレーンキャッチャ１０１はＹ軸搬送メカ１７によってＹ軸レール２１に沿ってＹ軸方向に移動させられる。
Ｙ軸レール２１の端部は、Ｘ軸搬送メカ３９に取り付けられている。Ｘ軸搬送メカ３９に搬送ローラ２３ａ，２３ｂ，２３ｃ，２３ｄが取り付けられており、Ｘ軸レール棹を搬送ローラ２３ａ，２３ｂと搬送ローラ２３ｃ，２３ｄとの間に挟み込んでいる。
Ｙ軸レール２１全体がＸ軸レール棹の上をＸ軸方向に移動させられる。
なお、クレーンキャッチャを搬送する機構のレール部の長さも筐体サイズの変更にしたがい円滑に移動させるための構造となっている。
【００１３】
図７ＡはＸ軸搬送メカ用レールの伸縮の機構を説明するための斜視図である。
Ｘ軸レール棹はレール２５と、溝２６ａを有するレール２６とから構成され、レール２５が溝２６ａに挿入された状態となり、Ｘ軸方向に移動可能となっている。レール２６は長孔２６ｂ，２６ｃを有し、該長孔２６ｂ，２６ｃに、レール２５の側面に植設された４本のガイドピン２７ａ，２７ｂ，２７ｃ，２７ｄが嵌合されている。これによりＸ軸レール棹の長さがＸ軸方向に筐体後部形成部１０Ｂの移動によって調整される。図７Ａ（ａ）は筐体サイズを最も縮めた状態を、図７Ａ（ｂ）は筐体サイズを最も拡大した状態をそれぞれ示している。
【００１４】
図７ＢはＸ軸搬送メカおよびＹ軸搬送メカを動作させる機構を説明するための図である。
Ｘ軸搬送メカ３９内にはモータ４１が設けられ、モータ４１の出力が図示しないギヤ群を介してプーリ３８に伝達される。プーリ３８は搬送ローラ２３ａ（図６Ｂ参照）の軸に固定されており、プーリ３８の回転が搬送ローラ２３ａに伝達される。また、プーリ３８の回転はベルト３５を介してプーリ３７にも伝達される。プーリ３７は搬送ローラ２３ｂ（図６Ｂ参照）の軸に固定されており、プーリ３７の回転が搬送ローラ２３ｂに伝達される。
レール２１の断面は下面に開口溝を有する矩形空洞形である。伸縮アーム２４に取り付けられたＹ軸搬送メカ１７の上面に支持板３６，３６が設けられ、支持板３６，３６に回転可能に４個の案内ローラ３４，３４，３４，３４（図６Ａ参照）が取り付けられている。
案内ローラ３４，３４，３４，３４は矩形空洞形のレール２１の開口溝脇の底板に載り、クレーンキャッチャ１０１を支持するとともにＹ軸方向の移動を案内する。
【００１５】
レール２１の端部にモータ３１の出力をギヤ群３２を介して伝達するプーリ３３が設けられている。このプーリ３３とＹ軸搬送メカに設けられたプーリ（図示されていない）との間にベルト（図示されていない）が掛け渡されており、モータ３１の駆動によってクレーンキャッチャ１０１をＹ軸方向に移動する。
【００１６】
図８は図１Ａの筐体構造にシャッタを設置した構造を説明するため斜視図である。
矩形状の板２８ａ〜２８ｆの両端をレールガイド２９，２９に嵌合させてなるシャッタ２８が１プレイ側，２プレイ側の両方に設けられる。
図８の例では２プレイ側にシャッタ２８が取り付けられ、シャッタ２８を下ろした状態で景品払出し口１１０が閉じられる。シャッタ２８を押し上げると景品取り出し口１１０は開口し、押し上げられたシャッタの一部が景品落下口１０６の手前部分を覆う。
【００１７】
図９Ａ，図９Ｂは本発明による筐体サイズ可変構造を採用したクレーンゲーム機の他の実施の形態を示す斜視図で、それぞれ左右のスペースを縮小した状態および拡大した状態を示している。
クレーンゲーム機２０は筐体左部形成部２０Ａと筐体右部形成部２０Ｂで構成され、筐体左部形成部２０Ａと筐体右部形成部２０Ｂの一端がサイズ調整板５０内に重なった構造である。筐体左部形成部２０Ａまたは筐体右部形成部２０Ｂを回転ノブ４１により左右に移動させて筐体の左右のサイズを変えることができる。回転ノブ４１を接続部４２ａに接続して回転させると、筐体左部形成部２０Ａ側のサイズを、回転ノブ４１を接続部４２ｂに接続して回転させると、筐体右部形成部２０Ｂ側のサイズをそれぞれ変えることができる。
筐体は２プレイ用でクレーンキャッチャー２０１と２０２，プレイフィールド２０３と２０４および景品落下部２０５と２０６が左右にそれぞれ設けられている。さらには操作部パネル２０７と２０８および景品払出し口２０９と２１０が左右にそれぞれ設置されている。筐体左右の拡大縮小にしたがってプレイフィールド２０３，２０４および景品落下部２０５，２０６の左右方向が拡大縮小する。
【００１８】
図１０Ａは筐体左部形成部と筐体右部形成部を左右に移動させる機構の詳細図で、最も縮めた状態および最も拡大した状態をそれぞれ示している。図１０Ｂは筐体右部形成部を左右に移動させる機構の斜視図である。
筐体左部形成部２０Ａの底板にラック板４６ａが設置されている。同様に筐体右部形成部２０Ｂの底板にラック板４６ｂが設置されている。ラック板４６ａにギヤ４５ａが、ラック板４６ｂにギヤ４５ｂがそれぞれ噛合している。
【００１９】
サイズ調整板５０の底板５０ａに２個の軸支持台４９ｂ，４９ｂが設けられ、軸支持台４９ｂ，４９ｂに、両端にギヤ４５ｂ，６１ｂが取り付けられた軸４８ｂが回転可能に支持されている。ギヤ４５ｂはラック板４６ｂに噛合し、ギヤ６１ｂはラック板６２ｂにそれぞれ噛合している。
ギヤ４５ｂはギヤ４７ｂが噛合し、ギヤ４７ｂは軸６３に取り付けられている。軸６３の他端は接続部４２ｂであり、接続部４２ｂ（図９Ａ参照）に回転ノブ４１を取り付け回転操作することにより上述したように筐体の左右のサイズを調整することができる。
【００２０】
図１１Ａ，図１１Ｂは本発明による筐体サイズ可変構造を採用したクレーンゲーム機のさらに他の実施の形態示す斜視図で、それぞれ上下のスペースを縮小した状態および拡大した状態を示している。
クレーンゲーム機３０は、筐体下部形成部３０Ａと筐体上部形成部３０Ｂで構成され、筐体下部形成部３０Ａに筐体上部形成部３０Ｂの一端が重なった構造であり、筐体上部形成部３０Ｂを上下に移動させて筐体の上下のサイズを変えることができる。筐体下部形成部３０Ａの両側面に上下調節板５５ａ，５５ｂが取り付けられており、上下調節板５５ａ，５５ｂの中に上下スライド板５９ａ，５９ｂが嵌合し、上下調節板５５ａ，５５ｂの中を上下スライド板５９ａ，５９ｂが上下に移動できるようになっている。
筐体は２プレイ用でクレーンキャッチャ３０１と３０２，プレイフィールド３０３と３０４および景品落下部３０５と３０６が左右にそれぞれ設けられている。さらには操作パネル３０７と３０８および景品払出し口３０９と３１０が左右にそれぞれ設置されている。筐体上下の拡大縮小にしたがってプレイフィールド空間は上下に拡大縮小する。
【００２１】
図１２は筐体下部形成部と筐体上部形成部を上下に移動させる機構の実施の形態を示す図である。
筐体上部形成部３０Ｂに固定された上下スライド板５９ａ，５９ｂの側部にラック板５４ａ，５４ｂが設けられている。軸５３の両端にギヤ５２ａ，５２ｂが固定され、ギヤ５２ａ，５２ｂはラック板５４ａ，５４ｂに噛合している。
筐体下部形成部３０Ａに取り付けられたモータ５６ａ，５６ｂの出力はギヤ群５７ａ，５７ｂを介してギヤ５１ａ，５１ｂに伝達され、ギヤ５１ａ，５１ｂはギヤ５２ａ，５２ｂにそれぞれ噛合している。
上下スライド板５９ｂの側部の３箇所に上下調整板５５ｂに対し回転接触する案内ローラ５８，５８，５８が設けられている。同様に上下スライド板５９ａの側部の３箇所にも案内ローラが設けられている。
上下のサイズを変更する場合、モータ５６ａ，５６ｂを駆動することによりギヤ５２ａ，５２ｂを回転させ上下スライド板５９ａ，５９ｂを上下に移動させる。
【００２２】
図１３は筐体下部形成部と筐体上部形成部を上下に移動させる機構の他の実施の形態を示す図である。
筐体上部形成部３０Ｂに固定された上下スライド板７５に円筒ネジ７４が固定されている。ネジ棒７３が円筒ネジ７４に噛合し、ネジ棒７３の端部にギヤ７２が取り付けられている。筐体下部形成部３０Ａに取り付けられたモータ７６の出力はギヤ群７７を介してギヤ７１に伝達される。ギヤ７１はギヤ７２に噛合している。
上下スライド板７５の側部の４箇所に上下調整板５５ａに対し回転接触する案内ローラ７８，７８，７８，７８が設けられている。同様に上下スライド板５５ｂの側部の４箇所にも案内ローラが設けられている。
上下のサイズを変更する場合、モータ７６を駆動することによりネジ棒７３を回転させ上下スライド板７５を上下調節板５５ａ（５５ｂ）内を上下に移動させる。
【００２３】
以上の実施の形態は、前後の筐体サイズ変更および左右の筐体サイズ変更を回転ノブなどを用いて手動で筐体サイズを変える例について説明したが、モータを設置してモータを作動させて筐体サイズを変えることができる。
また、上下に筐体サイズ変更をモータの駆動力により行う例について説明したが、回転ノブを設け、手動により上下に筐体サイズを変えることができる。
【産業上の利用可能性】
【００２４】
イベント会場やゲームセンタに設置される業務用クレーンゲーム機である。
【符号の説明】
【００２５】
１０，２０，３０  クレーンゲーム機  
１０Ａ  筐体前部形成部
１０Ｂ  筐体後部形成部
２０Ａ  筐体左部形成部
２０Ｂ  筐体右部形成部
３０Ａ  筐体下部形成部
３０Ｂ  筐体上部形成部
１０１，１０２，２０１，２０２，３０１，３０２  クレーンキャッチャ
１０３，１０４，２０３，２０４，３０３，３０４  プレイフィールド
１０５，１０６，２０５，２０６，３０５，３０６  景品落下口
１０７，１０８，２０７，２０８，３０７，３０８  操作パネル
１０９，１１０，２０９，２１０，３０９，３１０  景品払出し口
【図１Ａ】
2010252903.tif 000003
【図１Ｂ】
2010252903.tif 000004
【図２】
2010252903.tif 000005
【図３】
2010252903.tif 000006
【図４】
2010252903.tif 000007
【図５】
2010252903.tif 000008
【図６Ａ】
2010252903.tif 000009
【図６Ｂ】
2010252903.tif 000010
【図７Ａ】
2010252903.tif 000011
【図７Ｂ】
2010252903.tif 000012
【図８】
2010252903.tif 000013
【図９Ａ】
2010252903.tif 000014
【図９Ｂ】
2010252903.tif 000015
【図１０Ａ】
2010252903.tif 000016
【図１０Ｂ】
2010252903.tif 000017
【図１１Ａ】
2010252903.tif 000018
【図１１Ｂ】
2010252903.tif 000019
【図１２】
2010252903.tif 000020
【図１３】
2010252903.tif 000021